(57)【要約】【課題】  乗員に過度の衝撃的負担を強いることのない高い始動性能と、乗員腰部からの押力に依らない高い保持性能との両立をはかるという目的を、構成の複雑化等を伴うことなく実現可能とする。【解決手段】  少なくとも乗員腰部からの荷重を受圧可能とする縦設受圧部材３４を、後部上方に傾斜して延びるガイド孔３６へのその下端の挿通を伴って、支持シャフト２０との連動を可能に配設するとともに、乗員背部からの荷重を受圧可能とする横設受圧部材３８を、回動リンクの支持シャフト下部位置にその上端の枢着された左右一対の伸縮型の連設支持リンク４０間に架設配置している。【選択図】          図１
2008018842.tif 000002
【特許請求の範囲】
【請求項１】
シートバックに内設された受圧部材が、後突の際の乗員の後方慣性移動による、所定の付勢力以上の荷重を受けることで、ヘッドレストを、その初期の下方支持位置から所定の上方位置に強制的に変位させ得る車両用シートのシートバック構造であり、
左右一対の回動リンクが、シートバックフレームの左右サイドメンバにそれぞれ枢着され、この回動リンクの所定端間での架設、軸支により、支持シャフトが、回動リンクの回動のもとでの上下円弧移動を可能に横設されるとともに、この支持シャフトに一体に設けられた、ヘッドレストステーの挿通、保持される筒状のホルダブラケットを、シートバックフレームのアッパメンバに設けた固定のブラケットガイドに対し摺動自在かつ傾動自在に挿通配置することにより、このブラケットガイドを支点とした前傾を伴いながらのヘッドレストの上方変位を、上記付勢力に抗した回動リンクの回動のもとで確保可能とし、
少なくとも乗員腰部からの荷重を受圧可能とする縦設受圧部材を、後部上方に傾斜して延びるガイド孔へのその下端の挿通を伴って、上記支持シャフトとの連動を可能に配設し、後突発生時の乗員からの入力荷重による後方へのその下端の押し込みに伴った、ガイド孔の上方変位分に応じた支持シャフトの押し上げにより、ヘッドレスト下方初期位置からの回動初動を、上記回動リンクに付与可能とするとともに、
乗員背部からの荷重を受圧可能とする横設受圧部材を、上記回動リンクの支持シャフト下部位置にその上端の枢着された左右一対の伸縮型の連設支持リンク間に架設配置し、回動リンクの回動始動後での乗員背部からの荷重による後方へのその押し込みに伴った、連設支持リンクの伸長により、ヘッドレストの上方変位位置までの継続回動力、およびその上方変位位置での保持力を、回動リンクに付与可能とした車両用シートのシートバック構造。
【請求項２】
前記縦設受圧部材が、可撓性を有する棒状部材からなり、乗員腰部からの荷重に加え乗員背部からの荷重をも受圧可能に、この縦設受圧部材が配設されるとともに、
前記横設受圧部材が、縦設受圧部材の撓みを伴う乗員背部からの荷重を受動可能に、この縦設受圧部材の後方離間位置で、前記連設支持リンク間に架設配置された請求項１記載の車両用シートのシートバック構造。
【請求項３】
前記所定の付勢力を前記回動リンクに付与する付勢手段が、回動リンクの、前記支持シャフト軸支点の上方位置にその上端の係止された、その下方に延びる張設の引張コイルばねであり、
前記ヘッドレストの上方変位位置での回動リンクの回動角度における、引張コイルばねの力線の位置を、回動リンクの枢支点に対する後方側近傍位置として規定、設定した請求項１または２記載の車両用シートのシートバック構造。
【請求項４】
前記ヘッドレストの上方変位位置での回動リンクの回動角度における、前記支持シャフト軸支点の位置を、その上方変位位置でのヘッドレストにその前方から作用する荷重の分力が前記回動リンクの枢支点の上方側に作用し得る位置として規定、設定した請求項１ないし３のいずれか記載の車両用シートのシートバック構造。
【請求項５】
前記ブラケットガイドの前後壁が、ヘッドレスト下方初期位置での前記ホルダブラケットの角度に応じた第１支持面と；上方変位位置での前記ホルダブラケットの角度に応じた第２支持面と；をそれぞれ有してなり、この前後壁の第１支持面、および第２支持面が、前記ホルダブラケットを挟持可能とする段違いの平行面としてそれぞれ互い違いに形成された請求項１ないし４のいずれか記載の車両用シートのシートバック構造。
【発明の詳細な説明】
【技術分野】
【０００１】
本発明は、後突時における乗員の後方慣性移動を、シートバックに内設された所定の受圧部材が受けることによって、ヘッドレストをその上方かつ前方に強制的に変位させることを可能とした車両用シートのシートバック構造に関する。
【背景技術】
【０００２】
後突の発生時、その際の乗員の後方慣性移動による荷重（衝撃荷重）を、シートバックに内設した所定の受圧部材が受けることにより、ヘッドレストを、乗員頭部への接近方向である上方かつ前方に強制的に変位させ得る構成が、たとえば特開平１１−３４７０８号公報等に開示されている。
【０００３】
この種の、いわゆる緊急作動式のヘッドレストは、通常、引張コイルばね等からなる付勢手段の付勢力のもとで、その通常の支持位置である下方初期位置に付勢、保持されている。そして、この付勢力は、通常、後突時の衝撃荷重の入力判断基準として設定されることから、この付勢力以上の入力荷重である衝撃荷重が受圧部材に入力されたときのみ、付勢力に抗した後方への受圧部材の移動のもとでヘッドレストをその下方初期位置から上方かつ前方の上方変位位置に移動、変位させるものとして、このシートバックは構成されている。
【０００４】
このような構成によれば、後突の発生時、ヘッドレストがその変位によって乗員頭部に接近し、これによって頭部との隙間を確実に狭めるため、後突の際における頭部後傾量は確実に抑制される。従って、この種の構成によれば、後突時の、頭部の急激な後傾に起因する頚部の損傷、いわゆるむち打ち障害を抑制することが十分に可能となる。
【０００５】
ところで、この前出の公報に開示された公知の構成においては、乗員の後方慣性移動による衝撃荷重を受圧する受圧部材が、乗員背部に相当する位置に設けられている。
【０００６】
ここで、一般に、乗員の通常の運転姿勢においては、腰部がシートバック着座面にほぼ当接されるのに対し、乗員背部はシートバック着座面から離反される傾向にあるため、後突による後方慣性移動のもとでは、その離反分の距離を少なくとも経た後に、乗員背部が受圧部材に到達しそれを押圧することになる。つまり、後突時、乗員背部は、強い付勢力により付勢、保持された受圧部材に対し、その離反分の距離を経て擬似衝突をすることになるため、ヘッドレストの作動にあたっては、乗員背部に過度の衝撃的負担を強いる虞が否定できない。
【０００７】
このような構成に対し、たとえば特開２０００−３２５１７９号公報等には、乗員腰部による受圧部材の押圧により、ヘッドレストをその上方変位位置に緊急作動させる構成が開示されている。
【０００８】
上述のように、乗員の通常の運転姿勢においては、腰部がシートバック着座面にほぼ当接される。つまり、後突時、この乗員腰部は、さほどの移動距離を経ることなく受圧部材に到達しそれを押圧するため、このような、乗員腰部により受圧部材を押圧する構成であれば、受圧部材押圧時での乗員側の衝撃的負担は確実に低減される。
【０００９】
ここで、ヘッドレストおよび受圧部材に付与される付勢手段からの付勢力は、一般的に、ヘッドレストの全可動範囲において常にヘッドレスト、受圧部材等に伝達、付与されるため、ヘッドレストをその上方変位位置で安定して保持するためには、この付勢力に抗する以上の押力を受圧部材に継続して付与し続けなければならない。しかしながら、シートバックに対する乗員上体の沈み込み量は、シートバックの持つクッション性の度合いの相違等から、腰部に比して背部のほうが大きくなりやすく、背部が大きく沈み込むと、その際の乗員の姿勢変化に伴った重心変化等により、乗員腰部から受圧部材に作用する入力荷重の低減が発生しやすくなるため、このような、乗員腰部のみからの荷重により受圧部材を押圧する構成であると、その押力の低減の度合いによっては、その保持の確実性が低下することも起こり得る。
【特許文献１】特開平１１−３４７０８号公報
【特許文献１】特開２０００−３２５１７９号公報
【発明の開示】
【発明が解決しようとする課題】
【００１０】
解決しようとする問題点は、乗員背部での受圧部材の押圧であると、その初動時、乗員背部に過度の負担を強いる虞があるとともに、乗員腰部での受圧部材の押圧であると、その継続保持の確実性に劣る可能性のある点である。
【課題を解決するための手段】
【００１１】
本発明の請求項１に係る車両用シートのシートバック構造は、左右一対の回動リンクを、シートバックフレームの左右サイドメンバにそれぞれ枢着し、この回動リンクの所定端間での架設、軸支により、支持シャフトを、回動リンクの回動のもとでの上下円弧移動を可能に横設するとともに、この支持シャフトに一体に設けられた、ヘッドレストステーの挿通、保持される筒状のホルダブラケットを、シートバックフレームのアッパメンバに設けた固定のブラケットガイドに対し摺動自在かつ傾動自在に挿通配置することにより、このブラケットガイドを支点とした前傾を伴いながらのヘッドレストの上方変位を、付勢力に抗した回動リンクの回動のもとで確保可能としている。そして、少なくとも乗員腰部からの荷重を受圧可能とする縦設受圧部材を、後部上方に傾斜して延びるガイド孔へのその下端の挿通を伴って、支持シャフトとの連動を可能に配設し、後突発生時の乗員からの入力荷重による後方へのその下端の押し込みに伴った、ガイド孔の上方変位分に応じた支持シャフトの押し上げにより、ヘッドレスト下方初期位置からの回動初動を、回動リンクに付与可能とするとともに、乗員背部からの荷重を受圧可能とする横設受圧部材を、回動リンクの支持シャフト下部位置にその上端の枢着された左右一対の伸縮型の連設支持リンク間に架設配置し、回動リンクの回動始動後での乗員背部からの荷重による後方へのその押し込みに伴った、連設支持リンクの伸長により、ヘッドレストの上方変位位置までの継続回動力、およびその上方変位位置での保持力を、回動リンクに付与可能としたことを、この請求項１での最も主要な特徴としている。
【００１２】
また、この発明の請求項２は、縦設受圧部材を、可撓性を有する棒状部材とし、乗員腰部からの荷重に加え乗員背部からの荷重をも受圧可能に、この縦設受圧部材を配設するとともに、横設受圧部材を、縦設受圧部材の撓みを伴う乗員背部からの荷重を受動可能に、この縦設受圧部材の後方離間位置で、連設支持リンク間に架設配置したことを、その最も主要な特徴としている。
【００１３】
さらに、この発明の請求項３は、所定の付勢力を回動リンクに付与する付勢手段を、回動リンクの、支持シャフト軸支点の上方位置にその上端の係止された、その下方に延びる張設の引張コイルばねとし、ヘッドレストの上方変位位置での回動リンクの回動角度における、引張コイルばねの力線の位置を、回動リンクの枢支点に対する後方側近傍位置として規定、設定したことを、その最も主要な特徴としている。
【００１４】
そして、この発明の請求項４は、ヘッドレストの上方変位位置での回動リンクの回動角度における、支持シャフト軸支点の位置を、その上方変位位置でのヘッドレストにその前方から作用する荷重の分力を回動リンクの枢支点の上方側に作用させ得る位置として規定、設定したことを、その最も主要な特徴としている。
【００１５】
また、この発明の請求項５は、ブラケットガイドの前後壁を、ヘッドレスト下方初期位置でのホルダブラケットの角度に応じた第１支持面と、上方変位位置でのホルダブラケットの角度に応じた第２支持面とをそれぞれ有するものとし、この前後壁の第１支持面、および第２支持面を、ホルダブラケットを挟持可能とする段違いの平行面としてそれぞれ互い違いに形成したことを、その最も主要な特徴としている。
【発明の効果】
【００１６】
本発明の請求項１に示す車両用シートのシートバック構造においては、後突時、乗員腰部からの荷重のもとで回動リンクがその初動を得た後、それに伴って始動した横設受圧部材が乗員背部からの荷重を受圧する。つまり、乗員背部からの荷重の受圧時、横設受圧部材は静止状態にないため、乗員背部に過度の衝撃を与えることなく、その荷重を受圧することが可能となる。そして、横設受圧部材による乗員背部からの荷重の受圧のもとで、回動リンクはヘッドレストの上方変位方向に継続して回動、保持されるため、乗員腰部からの荷重に依ることのない、上方変位位置でのヘッドレストの保持が十分に可能となる。
【００１７】
従って、この請求項１は、乗員に過度の衝撃的負担を強いることのない高い始動性能と、乗員腰部からの押力に依らない高い保持性能との両立が容易に確保可能になるという利点がある。
【００１８】
また、この発明の請求項２は、可撓性のある縦設受圧部材を、乗員背部からの荷重をも受圧可能に設けているため、乗員腰部による適切な押圧が得られなかった場合においても、乗員背部からの荷重を弾性的に受けることで回動リンクの初動を得ることが可能になるという利点がある。
【００１９】
さらに、可撓性のある縦設受圧部材が乗員背部からの荷重のもとで撓むことにより、その荷重を横設受圧部材に適切に伝達、付与することが可能となるため、縦設受圧部材および横設受圧部材の配設の容易化がはかられるという利点が、この請求項２によれば得られる。
【００２０】
そして、この発明の請求項３によれば、引張コイルばねからなる付勢手段の力線を、ヘッドレストの上方変位位置における回動リンクの枢支点近傍に配置することにより、その上方変位位置での付勢力の伝達効率を意図的に下げているため、上方変位位置からのヘッドレストの戻り始動力が確実に低減される。つまり、ヘッドレストの上方変位位置においては、比較的小さな力によっても付勢手段の付勢力に抗することが可能となることから、この請求項３は、この点からも、上方変位位置でのヘッドレストの保持性能が確実に向上されるという利点がある。
【００２１】
また、この発明の請求項４においては、上方変位位置でのヘッドレストにその前方から作用する荷重の分力が、回動リンクの枢支点の上方側に作用するため、リバウンド荷重によるヘッドレストの戻りも確実に防止できる。従って、この請求項４は、この点においても、上方変位位置でのヘッドレストの保持性能が確実に向上されるという利点がある。
【００２２】
そして、この発明の請求項５によれば、ヘッドレストの下方初期位置、上方変位位置のいずれの位置においても、ホルダブラケットをブラケットガイドの前後壁による面接触のもとで適切に挟持できるため、ヘッドレストのガタツキを確実に防止することが可能になるという利点がある。
【発明を実施するための最良の形態】
【００２３】
乗員に過度の衝撃的負担を強いることのない高い始動性能と、乗員腰部からの押力に依らない高い保持性能との両立をはかるという目的を、構成の複雑化等を伴うことなく実現可能とした。
【実施例】
【００２４】
図１は、本発明の車両用シートのシートバック構造を示すシートバック内部の概略縦断面図であり、図示のように、この発明においては、シートバック１０が、後突時での乗員の後方慣性移動による荷重の受圧によって下方初期位置（一点鎖線参照）から上方に前傾変位される、いわゆる緊急作動式のヘッドレスト１２を備えて形成されている。
【００２５】
ヘッドレスト下方初期位置での状態を示す図２および図３を見るとわかるように、この発明においては、左右一対の回動リンク１４が、枢支ピン１６により、シートバックフレーム１８の左右サイドメンバ１８ａの、たとえばリンクブラケット１９に対してそれぞれ枢着され、この回動リンクの所定端間での架設、軸支により、支持シャフト２０が、回動リンクの回動のもとでのその上下円弧移動を可能に横設されている。そして、ヘッドレスト１２のステー２２を挿通、保持可能に、この支持シャフト２０に一体に設けられた筒状のホルダブラケット２４を、シートバックフレーム１８のアッパメンバ１８ｂに設けた固定のブラケットガイド２６に対し摺動自在かつ傾動自在に挿通配置することにより、この回動リンク１４の回動のもとでの、ブラケットガイドを支点とした前傾を伴いながらのその上方変位を可能に、ヘッドレスト１２はシートバック１０に対して連結、支持されている（図１参照）。
【００２６】
図２、図３を見るとわかるように、このホルダブラケット２４は側面略く字形状に折曲形成された断面略矩形状の筒体としてなり、このホルダブラケットの上端に、ヘッドレストのステー２２が、ステーホルダ２８を介して挿着されるものとなっている。
【００２７】
なお、ステーホルダ２８は、ホルダブラケット２４の上側直線部２４ａに対して固定的に挿着され、ロック機構（図示しない）により、ステー２２を任意の上下位置で固定的に保持可能とするものであるが、このステーホルダの構成自体はこの発明の趣旨でないため、ここでの詳細な説明は省略するものとする。
【００２８】
そして、図示のように、このホルダブラケット２４の上側直線部２４ａが、ブラケットガイド２６に挿通配置される。
【００２９】
図４（Ａ），（Ｂ）に示すように、このブラケットガイド２６は、その前後壁２８ｆ，２８ｒを、ヘッドレスト下方初期位置でのホルダブラケットの上側直線部２４ａの角度に応じた第１支持面２８ａと、上方変位位置でのホルダブラケットの角度に応じた第２支持面２８ｂとの組み合わせとし、この前後壁の第１支持面、および第２支持面を、ホルダブラケットを挟持可能とする段違いの平行面としてそれぞれ互い違いに形成することにより、ヘッドレスト各位置でのホルダブラケットの保持を、その前後壁面での挟持のもとで可能に構成されている。
【００３０】
なお、図３および図４で示す参照符号２７は、ブラケットガイド２６の周縁段部２６ａとの挟持のもとで当該ブラケットガイドをシートバックフレームのアッパメンバ１８ｂに固定的に係止、保持可能とするフックを示す。
【００３１】
このような構成においては、支持シャフト２０が回動リンク１４によって上下移動可能に支持されているため、回動リンクの回動に伴った支持シャフトの上下移動により、ヘッドレスト１２の上下位置は変動される。そして、支持シャフト２０が、回動リンクの支点枢支ピン１６を支点とする円弧移動を、その上下方向で呈するため、それに伴った支持シャフトの前後位置の変動により、ヘッドレスト１２が、ブラケットガイド２６を支点とした前後傾動を呈するものとなっている（図１、図２参照）。
【００３２】
なお、図２、図３に示すように、この実施例においては、リンクブラケット１９に設けられたストッパ片１９ａでの係止によって、ヘッドレスト１２の下方初期位置での回動リンク１４の回動を規制するものとしている。
【００３３】
そして、この回動リンク１４には、付勢手段３０からの付勢力が、ヘッドレスト１２を下方初期位置に付勢、保持する力として付与されている。つまり、この構成においては、ヘッドレスト１２が、付勢手段３０の付勢力のもとで、その下方初期位置に付勢、保持されるものとなっている。
【００３４】
この実施例においては、この付勢手段３０が、支持シャフト２０の上方位置で回動リンク１４にその上端３０ａの係止された、その下方に延びる張設の引張コイルばねとして具体化されており、その下端３０ｂを、たとえば、シートバックフレームの左右サイドメンバ１８ａの下部位置に設けられた係止孔３２に係止することにより、ヘッドレスト下方初期位置方向への付勢力を回動リンク１４に付与するものとしている。
【００３５】
この種の、緊急作動式のヘッドレスト１２を備えたシートバック構造においては、付勢手段３０による付勢力、つまりその引張コイルばねのばね力が、後突時の乗員の後方慣性移動による荷重によってのみ、ヘッドレスト上方変位方向への回動リンク１４の回動を保障可能とする力として設定される。つまり、この発明においては、後突時の後方慣性移動による乗員からの荷重を所定の受圧部材によって受け、その荷重をヘッドレスト上方変位方向への回動力として回動リンク１４に伝達、付与するものとしてシートバック１０が構成される。
【００３６】
ここで、この発明においては、少なくとも乗員腰部からの荷重を受圧可能とする縦設受圧部材３４が、後部上方に傾斜して延びるガイド孔３６へのその下端の挿通を伴って、支持シャフト２０との連動を可能に配設されるとともに、乗員背部からの荷重を受圧可能とする横設受圧部材３８が、回動リンク１４の支持シャフト下部位置にその上端の枢着された左右一対の伸縮型の連設支持リンク４０間に、架設配置されている。
【００３７】
この縦設受圧部材３４としては、たとえば上下方向に延びて配置された棒状部材、たとえば、支持シャフト２０の直接的な押し上げを可能とする剛性と、乗員背部からの荷重の受圧による撓みの可能な可撓性とを併せ持った棒状部材が好ましい。
【００３８】
図２、図３に加えて図５を見るとわかるように、この可撓性をもった縦設受圧部材３４は、たとえば、支持シャフト２０に設けられた受け部材４２と、シートバックフレーム１８のロアメンバ１８ｃに設けられたガイド部材４４のガイド孔３６との間に可動に架設される。支持シャフトの受け部材４２は、縦設受圧部材３４の段付き上端部３４ａの挿通可能な挿通孔４２ａを有して形成されている。そして、下端の後方移動に伴う、ガイド孔３６の傾斜に沿った縦設受圧部材３４の上昇のもとで、回動リンク１４をヘッドレスト１２の上方変位方向に直接的に回動可能に、この縦設受圧部材は構成されている。
【００３９】
なお、ガイド部材４４は、離間の左右位置にそれぞれ配された左右一対のものであり、そのガイド孔３６に対して連続挿通された摺動ロッド４６を縦設受圧部材３４の下端に一体に固定することにより、ガイド孔の傾斜に沿った縦設受圧部材下端の移動、つまりは縦設受圧部材の上下移動が確保されている。
【００４０】
この縦設受圧部材３４の下端、つまり摺動ロッド４６は、後突時の後方慣性移動による乗員腰部からの荷重を受圧可能とする位置に配される。そして、後突時の後方慣性移動による乗員腰部の後方移動を縦設受圧部材３４の下端が受動したとき、ガイド孔３６の傾斜に沿った摺動ロッド４６の摺動により、この縦設受圧部材の下端は移動される。
【００４１】
また、この発明においては、乗員背部からの荷重を受圧可能とする横設受圧部材３８を、回動リンク１４の支持シャフト下部位置にその上端の枢着された左右一対の伸縮型の連設支持リンク４０間に架設配置している。
【００４２】
この連設支持リンク４０は、たとえば、上部の長尺リンク４８と、下部の短尺リンク５０との組み合わせとしてなり、各リンクの対向端間を枢支ピン５２で回動自在に連結するとともに、その下端、つまり短尺リンクの下端をシートバックフレームに枢支ピン５３で枢着することによって、その上端の上下動作を可能に構成されている。そして、たとえば、略コ字形状に折曲形成された剛性の高い棒材等からなるこの横設受圧部材３８の各端末を、左右の連設支持リンクの長尺リンク４８間に固定することにより、この横設受圧部材は長尺リンクに対して一体的に設けられる。
【００４３】
なお、この横設受圧部材３８は、縦設受圧部材３４の後方離間位置に配される。
【００４４】
ここで、図２、図３に示すように、この実施例においては、縦設受圧部材３４の前面に、たとえば引張コイルばね等のばね部材５１によって弾性支持された、可撓性のある支持プレート５４が配され、この支持プレートを介して、乗員からの荷重が縦設受圧部材３４および横設受圧部材にそれぞれ付与される。
【００４５】
なお、図２に示すように、この支持プレート５４の下部は、たとえば、連設支持リンクの短尺リンク５０に一端の枢着された連結リンク５６により連結、支持されている。
【００４６】
また、この支持プレート５４は、その下端に係合バー５８を一体に有して形成され、この係合バーの係合可能な係合突起３４ｂを縦設受圧部材３４の下部にその屈曲のもとで形成することにより、係合バーによる縦設受圧部材の押し上げを得るものとしている。
【００４７】
たとえば、乗員の通常の運転姿勢においては、腰部がシートバック着座面にほぼ当接されるのに対し、乗員背部はシートバック着座面から離反される傾向にあるため、後突時の後方慣性移動の際には、通常、乗員腰部による縦設受圧部材３４の押圧が、乗員背部による横設受圧部材３８の押圧に先行して行われることになる。そして、乗員腰部が後突時の後方慣性移動のもとで後方に移動し、それによる押力が支持プレート５４に作用すると、支持プレートは、たとえば下部の連結リンクの回動を伴ってシート後方に移動され（一点鎖線参照）、この支持プレート下端の係合バー５８を介した押力が縦設受圧部材３４の下端に作用して、その押力が付勢手段３０の付勢力を上回ると、縦設受圧部材は、ガイド孔３６に沿った後方かつ上方へのその下端の移動のもとで、この下端の上方変位相当量だけ、支持シャフト２０を、回動リンク１４の回動を伴って直接的に押し上げる。
【００４８】
この、縦設受圧部材３４による、付勢手段３０の付勢力に抗した支持シャフト２０の押し上げにより、回動リンク１４は、ヘッドレスト上方変位方向への回動を開始する。つまり、この発明によれば、乗員腰部からの荷重の入力のもとで、回動リンク１４に初動を与えることが可能となるため、回動リンク始動時における乗員背部への衝撃的負担の付与が確実に軽減される。
【００４９】
なお、後方慣性移動時による、縦設受圧部材３４までの乗員腰部の移動ストロークは比較的短く、また、縦設受圧部材に対するその押力も十分に大きいため、このような乗員腰部による、回動リンク始動時での縦設受圧部材の押圧であれば、乗員に対する衝撃的負担は十分に軽減される。
【００５０】
そして、この回動リンク１４の始動後、乗員腰部からの荷重による縦設受圧部材３４の下端の後方移動のもとで、回動リンクがヘッドレスト上方変位方向に継続して回動されるとともに、乗員背部の後方慣性移動によるその後方への横設受圧部材３８の押圧によっても、ヘッドレスト上方変位方向への回動リンクの回動は継続される。
【００５１】
つまり、この発明においては、回動リンク１４の始動後、乗員腰部および乗員背部の双方による押圧のもとで、ヘッドレスト上方変位方向への回動リンクの回動が継続されるとともに、これらの荷重により、ヘッドレストがその上方変位位置に継続して保持される。
【００５２】
回動リンク１４の始動後であれば、乗員背部による横設受圧部材３８の押圧時、その衝撃的負担は確実に低減される。つまり、この点からも、回動リンク１４の始動および継続回動が、乗員に衝撃的負担を強いることなく確保できる。
【００５３】
ここで、乗員背部がその後方慣性移動によりシートバック着座面に大きく沈み込むと、その姿勢変化により、縦設受圧部材３４に対する乗員腰部での押力が低減することが起こり得る。しかしながら、この発明においては、乗員背部の後方慣性移動に伴った、この乗員背部による横設受圧部材３８の押圧のもとで、付勢手段３０の付勢力に抗したヘッドレスト上方変位位置での回動リンク１４の保持、つまり上方変位位置でのヘッドレスト１２の保持が継続して行われるため、上方変位位置でのヘッドレストの継続維持が、保持乗員腰部からの荷重に依ることなく得られる。
【００５４】
従って、この発明によれば、乗員に過度の衝撃的負担を強いることのない高い始動性能と、乗員腰部からの押力に依らない高い保持性能との両立が容易に確保可能となる。
【００５５】
また、この実施例においては、乗員腰部からの荷重を受圧する縦設受圧部材３４を、可撓性のある棒状部材から形成しているため、乗員背部からの荷重の受圧に伴ったその撓みにより、乗員背部からの荷重を横設受圧部材に円滑に伝達、付与することが十分に可能となる。つまり、縦設受圧部材３４を可撓とすることによって、縦設受圧部材と横設受圧部材３８との交差配置が可能となることから、その配設の容易化が確実にはかられる。
【００５６】
さらに、このような可撓の縦設受圧部材３４であれば、乗員背部からの荷重の入力もとで撓むため、この撓みによって、乗員背部への衝撃的負担を緩和することが可能となる。つまり、乗員腰部からの荷重が縦設受圧部材３４に適切に付与されない場合であっても、受圧部材が乗員背部からの荷重を受圧することによって、ガイド孔３６の傾斜に沿った縦設受圧部材の下端の移動が得られるため、このような可撓性のある縦設受圧部材とすれば、ヘッドレスト１２の緊急作動の確実性が一層向上される。
【００５７】
ところで、付勢手段３０の付勢力をヘッドレスト下方初期位置方向への復帰力として常に付与しているこの種の構成においては、その付勢力以上の力をヘッドレスト１２に常に付与していることが、上方変位位置にヘッドレストを保持するにあたって必要となる。そこで、図６に示すように、この発明においては、付勢手段３０を引張コイルばねとし、回動リンク１４に付与されるその付勢力の伝達効率を意図的に低下させるべく、ヘッドレスト上方変位位置での回動リンクの回動角度における、引張コイルばねの力線の位置を、回動リンクの枢支点に対する後方側近傍位置として規定、設定している。
【００５８】
この構成においては、引張コイルばねからなる付勢手段３０の力線を、ヘッドレスト上方変位位置における回動リンク１４の枢支点近傍に配置することで、その上方変位位置での付勢力の伝達効率が意図的に下げられるため、上方変位位置からのヘッドレスト１２の復帰始動力が確実に低減される。つまり、ヘッドレスト上方変位位置においては、比較的小さな力によっても付勢手段３０の付勢力に抗することが可能となり、腰部もしくは背部のいずれかから対応する受圧部材３４，３８に乗員からの荷重が所定量以上作用していれば、ヘッドレストは上方変位位置に保持されることになる。従って、この構成によれば、上方変位位置でのヘッドレストの保持性能が確実に向上される。
【００５９】
さらに、この発明においては、ヘッドレスト上方変位位置での回動リンクの回動角度における、支持シャフト２０の軸支点の位置を、その上方変位位置でのヘッドレストにその前方から作用する荷重の分力が回動リンクの枢支点の上方側に作用し得る位置として規定、設定している。
【００６０】
この発明においては、ヘッドレストブラケット２４が、シートバックフレームのアッパメンバ１８ａに設けられたブラケットガイド２６に対して摺動自在かつ傾動自在に支持されている。そして、その下端は、左右の回動リンク１４間に架設、軸支された支持シャフト２０に一体的に連結、固定されているため、後突によるリバウンド荷重が、乗員頭部からヘッドレスト１２に入力されると、その荷重の分力Ｆは、図６中の矢印のように、回動リンクの枢支点の上方側に作用する。つまり、この荷重の分力は、回動リンク１４を、ヘッドレスト上方変位方向に回動させようとする力として作用するため、このリバウンド荷重によって、ヘッドレスト１２がその下方初期位置方向に戻されることもなくなる。
【００６１】
従って、この構成によれば、この点においても、上方変位位置でのヘッドレスト１２の保持性能が確実に向上される。
【００６２】
ところで、この実施例においては、ブラケットガイド２６の前後壁２８ｆ，２８ｒを、図４（Ａ），（Ｂ）に示すような、ヘッドレスト下方初期位置でのホルダブラケットの上側直線部２４ａの角度に応じた第１支持面２８ａと、上方変位位置でのホルダブラケットの角度に応じた第２支持面２８ｂとの組み合わせとして具体化している。このような構成であれば、ヘッドレスト１２の下方初期位置、上方変位位置のいずれの位置においても、ホルダブラケット２４を、前後壁の対向する支持面間でその面接触のもとで挟持できるため、ヘッドレストのガタツキを確実に防止することが容易に可能となる。
【００６３】
上述した実施例は、この発明を説明するためのものであり、この発明を何等限定するものでなく、この発明の技術範囲内で変形、改造等の施されたものも全てこの発明に包含されることはいうまでもない。
【産業上の利用可能性】
【００６４】
一般的には、シートバックに対する脱着の可能なヘッドレストがその対象となるが、これに限定されず、たとえば脱着の不能なヘッドレストに、この発明を応用してもよい。
【図面の簡単な説明】
【００６５】
【図１】この発明に係る車両用シートのシートバック構造の、ヘッドレスト上方変位位置での概略縦断面図である。
【図２】車両用シートのシートバック構造の、ヘッドレスト下方初期位置での概略縦断面図である。
【図３】車両用シートのシートバック構造の、その一部破断の概略部分斜視図である。
【図４】ブラケットガイドの概略斜視図、およびその概略縦断面図である。
【図５】車両用シートのシートバック構造の、その一部破断の概略部分斜視図である。
【図６】車両用シートのシートバック構造の、その一部破断の概略部分正面図である。
【符号の説明】
【００６６】
１０  シートバック
１２  ヘッドレスト
１４  回動プレート
２４  ホルダブラケット
３０  付勢手段（引張コイルばね）
３４  縦設受圧部材
３６  ガイド孔
３８  横設受圧部材
【図１】
2008018842.tif 000003
【図２】
2008018842.tif 000004
【図３】
2008018842.tif 000005
【図４】
2008018842.tif 000006
【図５】
2008018842.tif 000007
【図６】
2008018842.tif 000008